(57)【要約】【課題】カセットホルダに対してカセットの挿脱を容易に行う。【解決手段】磁気テープ（３）を収納したカセット１を載置するためのカセットホルダ７１を、該カセットホルダ７１の左右の側板７１ｂ，７１ｃにそれぞれ取り付けた左右一対のポップアップ機構部１００，１００を介して上方のカセット挿脱位置と下方のカセット装着位置との間で上下動させるカセット装着装置２０において、カセットホルダ７１は、カセット１の背面２ｄ側の左右をカセットホルダ７１の外に露出させるために該カセットホルダ７１の前方部位の左右を奥行き方向に向かって切り欠いたことを特徴とするカセット装着装置２０を提供する。【選択図】図９
2007018630.tif 000002
【特許請求の範囲】
【請求項１】
磁気テープを収納したカセットを載置するためのカセットホルダを、該カセットホルダの左右の側板にそれぞれ取り付けた左右一対のポップアップ機構部を介して上方のカセット挿脱位置と下方のカセット装着位置との間で上下動させるカセット装着装置において、
前記カセットホルダは、前記カセットの一側面側の左右を前記カセットホルダの外に露出させるために該カセットホルダの前方部位の左右を奥行き方向に向かって切り欠いたことを特徴とするカセット装着装置。
【請求項２】
請求項１記載のカセット装着装置において、
前記カセットホルダは弾性変位可能な板材を用い、且つ、前記カセットホルダの天板と一体に左右一対のカセット押圧用板バネを所定の幅で且つ所定の角度を持って左右の側板側にそれぞれ向かった後に各先端部位を後方側に向かって僅かに延出させたことを特徴とするカセット装着装置。
【請求項３】
磁気テープを収納したカセットを載置するためのカセットホルダを、該カセットホルダの左右の側板にそれぞれ取り付けた左右一対のポップアップ機構部を介して上方のカセット挿脱位置と下方のカセット装着位置との間で上下動させるカセット装着装置において、
前記カセットホルダの一側板の外側に取り付けられ、前記カセットの一側面側の前方部位を前記カセットホルダ内の所定の位置に位置決めする機能と、所定の位置に位置決めされた前記カセットを前記カセットホルダ内から押し出す機能とを兼務するカセット位置決め兼用カセット押し出し機構部と、
前記カセットホルダの他側板の外側に取り付けられ、前記カセットを挿入する動作に伴って前記カセットのカセット蓋へのロックを解除する機能と、前記カセットの他側面側の前方部位を前記カセットホルダ内の所定の位置に位置決めする機能とを兼務するカセット蓋ロック解除兼用カセット位置決め機構部とを備えことを特徴とするカセット装着装置。
【請求項４】
請求項３項記載のカセット装着装置において、
前記カセット位置決め兼用カセット押し出し機構部は、
前記カセットの前方部位に当接する爪部を有し、前記カセットホルダの一側板の外側に沿ってスライドするカセット位置決め兼用カセット押し出し板と、
前記カセット位置決め兼用カセット押し出し板を前記カセットホルダの前方側に付勢する第１の付勢手段と、
前記カセットホルダの一側板の外側に植設されたロック用ピンと、
前記ロック用ピンに接離するロック用切り欠き部を有し、前記カセット位置決め兼用カセット押し出し板上に軸支されたロックレバーと、
前記カセットの挿入動作に伴って前記カセット位置決め兼用カセット押し出し板が所定の位置に至った時に、前記カセット位置決め兼用カセット押し出し板と一体に移動した前記ロックレバーのロック用切り欠き部を前記ロック用ピン側に押圧する第２の付勢手段と、
前記カセットホルダが前記カセット装着位置から前記カセット挿脱位置に上昇する動作に伴って前記ロックレバーの前記ロック用ピンへのロックを解除するロック解除手段とを備えたことを特徴とするカセット装着装置。
【請求項５】
請求項１〜請求項４のうちいずれか１項記載のカセット装着装置において、
前記カセットホルダを前記カセット挿脱位置と前記カセット装着位置との間を上下動するアッパーフレーム内に支持させ、且つ、前記アッパーフレームを前記カセット挿脱位置で前記カセットホルダのカセット挿脱口よりも後方側に退避させたことを特徴とするカセット装着装置。
【発明の詳細な説明】
【技術分野】
【０００１】
本発明は、アッパーフレーム内に支持されたカセットホルダを、カセット挿脱位置と、カセット装着位置との間で左右一対のポップアップ機構部により上下動自在に構成したカセット装着装置において、アッパーフレーム上に蓋カバーを一体的に固着した状態で、アッパーフレーム内に支持されたカセットホルダがカセット挿脱位置に至った時に、カセット装着装置の突出高さを低く設定することができ、しかも、カセット挿脱位置で磁気テープを収納したカセットをカセットホルダに対して容易に挿脱できるカセット装着装置に関するものである。
【背景技術】
【０００２】
一般的に、可搬型のビデオカメラなどに適用されるビデオテープレコーダ内の前方部位に設けられたカセット装着装置は、ポップアップ式に構成されている。
【０００３】
このポップアップ式のカセット装着装置では、磁気テープを収納したカセットをカセットホルダ内から離脱するためにカセット挿脱位置が装置本体から上方に突出した位置に設定されている。このカセット挿脱位置でカセットをカセットホルダ内に搭載した後にカセットホルダと一体にカセットが下降することにより、カセットが装置本体内のカセット装着位置に装着される構成になっている。
【０００４】
ところで、カセット装着装置は各種の構造形態があるが、外装筐体の左右の側板間に回動自在に支持されたアウトホルダ内にカセットホルダを支持すると共に、カセットホルダの左右の側板と、メインシャーシ上をスライドするサブシャーシの左右の側板とにＸ字状にクロスした左右一対のポップアップ機構部をそれぞれ取り付けて、アウトホルダ内に支持したカセットホルダをカセット挿脱位置とカセット装着位置との間で上下動させるカセット装着装置がある（例えば、特許文献１）。
【特許文献１】特開平１１−２５９９３１号公報。
【０００５】
図２２は従来例のカセット装着装置を示した構成図である。
【０００６】
図２２に示した従来例のカセット装着装置は、上記した特許文献１（特開平１１−２５９９３１号公報）に開示されており、ここでは特許文献１を参照して簡略に説明する。
【０００７】
図２２に示した如く、従来例のカセット装着装置２００では、外装筐体２０１の左右の側板間にアウトホルダ２０２が回動軸２０３を介して回動自在に設けられており、且つ、アウトホルダ２０２の左右の側板間の内部にカセットホルダ２０４がホルダ軸２０５を介して支持されている。
【０００８】
また、カセットホルダ２０４の左右の側板と、メインシャーシ２０６上をスライドするサブシャーシ２０７の左右の側板とにＸ字状にクロスしたメインアーム２０８とサブアーム２０９とによる左右一対のポップアップ機構部２１０が上下動自在に取り付けられている。
【０００９】
そして、カセットホルダ２０４と一体にアウトホルダ２０２が回動軸２０３を中心にして図示時計方向に回動して上昇した時にカセット挿脱位置に至り、このカセット挿脱位置で不図示の磁気テープを収納したカセット２１１がカセットホルダ２０４に対して挿脱可能になっている。
【００１０】
一方、カセット２１１を搭載したカセットホルダ２０４と一体にアウトホルダ２０２が回動軸２０３を中心にして図示反時計方向に回動して下降した時にカセット装着位置に至るようになっている。
【００１１】
そして、カセットホルダ２０４がカセット装着位置に至った後に、サブシャーシ２０７と一体にカセットホルダ２０４をメインシャーシ２０６上に回転自在に取り付けた不図示の回転ドラム側にスライドさせ、カセット２１１内の磁気テープ（図示せず）を引き出して回転ドラムに取り付けた磁気ヘッドにより磁気テープ上で情報信号を記録再生している。
【発明の開示】
【発明が解決しようとする課題】
【００１２】
ところで、上記した従来例のカセット装着装置２００では、アウトホルダ２０２が回動軸２０３を中心にして図示時計方向に回動し、且つ、アウトホルダ２０２の回動に協働してアウトホルダ２０２に支持したカセットホルダ２０４がＸ字状にクロスした左右一対のポップアップ機構部２１０により上昇してカセット挿脱位置に至り、この際、外装筐体２０１の底面を高さ基準とした場合に、カセット挿脱位置では外装筐体２０１の底面からカセットホルダ２０４の天面までの高さはＨ１となるものの、カセット挿脱位置で所定の角度傾斜したアウトホルダ２０２のうちで最高位の高さＨ２はカセットホルダ２０４の天面までの高さＨ１より高くなってしまうと共に、このアウトホルダ２０２の天面上に不図示の蓋カバーを一体的に取り付けた場合、不図示の蓋カバーの最高位の高さも当然高くなってしまうため、カセット挿脱位置ではカセット装着装置２００が大型化してしまう。
【００１３】
更に、従来例のカセット装着装置２００では、アウトホルダ２０２に支持したカセットホルダ２０４が下降してカセット装着装置に至った後に、サブシャーシ２０７と一体にカセットホルダ２０４がメインシャーシ２０６上に回転自在に取り付けた不図示の回転ドラム側にスライドすることで、カセット装着装置２００の奥行き方向に対して小型化を達成することができるものの、スライド方式のビデオテープレコーダは業務用として頻繁に使用される場合に、サブシャーシ２０７のスライド構造が複雑で且つ磁気テープの走行系もスライドするサブシャーシ２０７に影響されるため、業務用として磁気テープへの記録再生性能や、ビデオテープレコーダ及びカセット装着装置への信頼性が要求される場合に問題が生じてしまう。
【００１４】
そこで、サブシャーシのスライド構造を採用しない場合でも、カセット挿脱位置でカセット装着装置の突出高さを低く設定でき、且つ、このカセット挿脱位置でカセットホルダに対してカセットを挿脱し易い構造形態のカセット装着装置が望まれている。
【課題を解決するための手段】
【００１５】
本発明は上記課題に鑑みてなされたものであり、請求項１記載の発明は、磁気テープを収納したカセットを載置するためのカセットホルダを、該カセットホルダの左右の側板にそれぞれ取り付けた左右一対のポップアップ機構部を介して上方のカセット挿脱位置と下方のカセット装着位置との間で上下動させるカセット装着装置において、
前記カセットホルダは、前記カセットの一側面側の左右を前記カセットホルダの外に露出させるために該カセットホルダの前方部位の左右を奥行き方向に向かって切り欠いたことを特徴とするカセット装着装置である。
【００１６】
また、請求項２記載の発明は、請求項１記載のカセット装着装置において、
前記カセットホルダは弾性変位可能な板材を用い、且つ、前記カセットホルダの天板と一体に左右一対のカセット押圧用板バネを所定の幅で且つ所定の角度を持って左右の側板側にそれぞれ向かった後に各先端部位を後方側に向かって僅かに延出させたことを特徴とするカセット装着装置である。
【００１７】
また、請求項３記載の発明は、磁気テープを収納したカセットを載置するためのカセットホルダを、該カセットホルダの左右の側板にそれぞれ取り付けた左右一対のポップアップ機構部を介して上方のカセット挿脱位置と下方のカセット装着位置との間で上下動させるカセット装着装置において、
前記カセットホルダの一側板の外側に取り付けられ、前記カセットの一側面側の前方部位を前記カセットホルダ内の所定の位置に位置決めする機能と、所定の位置に位置決めされた前記カセットを前記カセットホルダ内から押し出す機能とを兼務するカセット位置決め兼用カセット押し出し機構部と、
前記カセットホルダの他側板の外側に取り付けられ、前記カセットを挿入する動作に伴って前記カセットのカセット蓋へのロックを解除する機能と、前記カセットの他側面側の前方部位を前記カセットホルダ内の所定の位置に位置決めする機能とを兼務するカセット蓋ロック解除兼用カセット位置決め機構部とを備えことを特徴とするカセット装着装置である。
【００１８】
また、請求項４記載の発明は、請求項３項記載のカセット装着装置において、
前記カセット位置決め兼用カセット押し出し機構部は、
前記カセットの前方部位に当接する爪部を有し、前記カセットホルダの一側板の外側に沿ってスライドするカセット位置決め兼用カセット押し出し板と、
前記カセット位置決め兼用カセット押し出し板を前記カセットホルダの前方側に付勢する第１の付勢手段と、
前記カセットホルダの一側板の外側に植設されたロック用ピンと、
前記ロック用ピンに接離するロック用切り欠き部を有し、前記カセット位置決め兼用カセット押し出し板上に軸支されたロックレバーと、
前記カセットの挿入動作に伴って前記カセット位置決め兼用カセット押し出し板が所定の位置に至った時に、前記カセット位置決め兼用カセット押し出し板と一体に移動した前記ロックレバーのロック用切り欠き部を前記ロック用ピン側に押圧する第２の付勢手段と、
前記カセットホルダが前記カセット装着位置から前記カセット挿脱位置に上昇する動作に伴って前記ロックレバーの前記ロック用ピンへのロックを解除するロック解除手段とを備えたことを特徴とするカセット装着装置である。
【００１９】
また、請求項５記載の発明は、請求項１〜請求項４のうちいずれか１項記載のカセット装着装置において、
前記カセットホルダを前記カセット挿脱位置と前記カセット装着位置との間を上下動するアッパーフレーム内に支持させ、且つ、前記アッパーフレームを前記カセット挿脱位置で前記カセットホルダのカセット挿脱口よりも後方側に退避させたことを特徴とするカセット装着装置である。
【発明の効果】
【００２０】
請求項１記載のカセット装着装置によると、とくに、カセットホルダは、カセットの一側面側（背面側）の左右をカセットホルダの外に露出させるためにカセットホルダの前方部位の左右を奥行き方向に向かって切り欠いたために、カセットホルダに対してカセットの挿脱を容易に行うことができる。
【００２１】
また、請求項２記載のカセット装着装置によると、とくに、カセットホルダは弾性変位可能な板材を用い、且つ、カセットホルダの天板と一体に左右一対のカセット押圧用板バネを所定の幅で且つ所定の角度を持って左右の側板側にそれぞれ向かった後に各先端部位を後方側に向かって僅かに延出させたために、カセットホルダの天板の奥行き寸法が短い場合でも、左右一対のカセット押圧用板バネの弾性力を得ることができる。
【００２２】
また、請求項３記載のカセット装着装置によると、とくに、カセットホルダの一側板（左側板）の外側にカセット位置決め兼用カセット押し出し機構部を取り付け、且つ、カセットホルダの他側板（右側板）の外側にカセット蓋ロック解除兼用カセット位置決め機構部を取り付けたために、部品点数の削減を図ることができる。
【００２３】
また、請求項４記載のカセット装着装置によると、とくに、カセット位置決め兼用カセット押し出し機構部は、カセットホルダがカセット装着位置からカセット挿脱位置に上昇する動作に伴ってロックレバーのロック用ピンへのロックを解除しているので、このロックレバーのロック解除により第１の付勢手段の付勢力で初期位置に戻るカセット位置決め兼用カセット押し出し板がカセットを確実に押し出すことができる。
【００２４】
更に、請求項５記載のカセット装着装置によると、とくに、カセットホルダをカセット挿脱位置とカセット装着位置との間を上下動するアッパーフレーム内に支持させ、且つ、アッパーフレームをカセット挿脱位置でカセットホルダのカセット挿脱口よりも後方側に退避させたために、カセット挿脱位置でカセット装着装置の突出高さ低く設定でき、且つ、アッパーフレームよりも前方に突出したカセットホルダに対してカセットの挿脱を容易に行うことができる。
【発明を実施するための最良の形態】
【００２５】
以下に本発明に係るカセット装着装置の一実施例について図１〜図２１を参照して詳細に説明する。
【実施例】
【００２６】
図１は本発明に係るカセット装着装置を適用したビデオテープレコーダの全体構成を説明するための上面図、
図２は本発明に係るカセット装着装置に用いられるカセットを示した斜視図、
図３は本発明に係るカセット装着装置の各状態を示した斜視図であり、（ａ）はカセット挿脱位置での状態を示し、（ｂ）は中間ロック位置での状態を示し、（ｃ）はカセット装着位置での状態を示した図、
図４は本発明に係るカセット装着装置を分解して示した分解斜視図である。
【００２７】
図１に示した如く、本発明に係るカセット装着装置２０は、業務用として使用される可搬型のビデオカメラやハイビジョンカメラなどに適用されるビデオテープレコーダ１０内の前面側に設けられている。
【００２８】
上記したビデオテープレコーダ１０は、板金材を用いて矩形状に形成した第１固定部となるベース台１１の底板１１ａ上に、このベース台１１よりも一回り小形で上部を開口して箱状に形成した第２固定部となるメカシャーシ１２が取り付けられている。このメカシャーシ１２も板金材を用いて一体的に折り曲げ形成されており、矩形状の底板１２ａの周囲に沿って前面板１２ｂと左側板１２ｃと右側板１２ｄとがそれぞれ所定の高さを持って上方に向かって垂直に曲げ形成され、且つ、後面板１２ｅは低い高さで曲げ形成されている。
【００２９】
上記したメカシャーシ１２上には、後述するカセット内に収納した磁気テープを走行させるテープ走行機構部が取り付けられており、具体的に説明すると、メカシャーシ１２の底板１２ａ上で前面板１２ｂの内側に一対のリール台１３，１３が回転可能に設けられ、且つ、後面板１２ｅの内側に磁気ヘッド(図示せず)と一体に回転する回転ドラム１４とキャプスタン１５とがそれぞれ回転可能に設けられていると共に、一対のリール台１３，１３と回転ドラム１４との間に不図示のローディングモータによって駆動される磁気テープローディング部材１６，１７が移動可能に設けられている。
【００３０】
更に、メカシャーシ１２の底板１２ａ上で前面板１２ｂの内側に設けた一対のリール台１３，１３の上方に本発明に係るカセット装着装置２０がポップアップ式で設置されており、このカセット装着装置２０に対して図２に示したカセット１が用いられている。
【００３１】
上記したカセット１は、図２に示した如く、ディジタル・ビデオ・カセットとして小形に構成されており、幅６６ｍｍ×奥行き４８ｍｍ×厚み１２ｍｍに形成されたカセット筺体２内に磁気テープ３を巻回した一対のリール４，４が回転可能に収納され、且つ、カセット筺体２の前面２ａ側にカセット蓋５が開閉自在に設けられていている。また、カセット筺体２の左右の側面２ｂ，２ｃのうちで、右側面２ｃ側にカセット蓋５を不使用時にロックするカセット蓋ロックレバー６が設けられている。尚、２ｄはカセット筺体２の背面である。
【００３２】
上記した本発明に係るカセット装着装置２０では、図３（ａ）に示したように、アッパーフレーム１１１内に支持されたカセットホルダ７１が、左右一対の扇形アーム１１６，（１１６）の回動に協働してメカシャーシ１２の左右に設けた一対のポップアップ機構部１００，１００により上昇して、カセットホルダ７１に対してカセット１を挿脱するカセット挿脱位置と、このカセット挿脱位置でカセットホルダ７１の前方からカセット１を挿入した後に、アッパーフレーム１１１上に押圧用として固着した蓋カバー１１３を左右一対のバネ１２１，（１２１）の付勢力に抗して押圧しながらカセットホルダ７１を下降させる途中で、図３（ｂ）に示したように、使用者がカセットホルダ７１の下降を中止させたい場合にカセットホルダ７１を途中でロックさせる中間ロック位置と、図３（ｃ）に示したように、カセット１を載置したカセットホルダ７１を完全に下降させてカセット筐体２（図２）内に設けた一対のリール４，４（図２）をビデオテープレコーダ１０（図１）内に設けた一対のリール台１３，１３上に装着させるカセット装着位置との３態様の姿勢を取り得るようになっている。
【００３３】
この際、本発明に係るカセット装着装置２０では、とくに、アッパーフレーム１１１が図３（ｃ）に示したカセット装着位置から図３（ａ）に示したカセット挿脱位置に上昇する動作に伴って、アッパーフレーム１１１を左右一対の扇形アーム１１６，（１１６）と連結部材１１７と左右一対のリンクアーム１１８，（１１８）とからなる左右一対のリンク機構によりカセットホルダ７１のカセット挿脱口よりも後方側に退避させることで、カセット挿脱位置でカセット装着装置２０の突出高さ低く設定でき、且つ、アッパーフレーム１１１よりも前方に突出したカセットホルダ７１に対してカセット１の挿脱を容易に行うことができるよう成したことを特徴とするものであり、これについては後で詳述する。
【００３４】
尚、この実施例では、使用者が何等かの理由でカセットホルダ７１の下降を途中で中止した場合に、カセット筺体２（図２）内の磁気テープ３に対する安全性を考慮して、カセット挿脱位置とカセット装着位置との間に設定した中間ロック位置でカセットホルダ７１をロックできるようにしたが、これに限ることなく、カセット挿脱位置とカセット装着位置との２態様の姿勢を取り得る構成も可能である。
【００３５】
ここで、上記した本発明に係るカセット装着装置２０は、図４に示した如く、不図示の外装筺体内に取り付けられるベース台組立体３０と、ベース台組立体３０中のベース台１１上に取り付けられるメカシャーシ組立体４０と、メカシャーシ組立体４０中のメカシャーシ１２に上下動可能に取り付けられるカセットホルダ組立体７０と、押圧用の蓋カバー１１３を取り付けたアッパーフレーム１１１内にカセットホルダ組立体７０中のカセットホルダ７１を支持しながらベース台１１に対して回動可能に取り付けられるアッパーフレーム組立体１１０とが下方から上方に向かって順に組み立てられており、以下、各組立体４０，７０，１１０の構成について図５〜図１２を用いて順を追って説明する。
【００３６】
図５は本発明に係るカセット装着装置において、ベース台組立体を示した斜視図、
図６は本発明に係るカセット装着装置において、メカシャーシ組立体を前面側から見た斜視図、
図７は本発明に係るカセット装着装置において、メカシャーシ組立体を後面側から見た斜視図、
図８は本発明に係るカセット装着装置において、カセットホルダ組立体を示した斜視図、
図９はカセットホルダ組立体中のカセットホルダを説明するための図であり、（ａ）は後面図、（ｂ）は左側面図、（ｃ）は上面図、（ｄ）は後方側から見た斜視図、
図１０（ａ），（ｂ）はカセットホルダ組立体において、カセットホルダの左側板の外側に設けたカセット位置決め兼用カセット押し出し機構部と、カセットホルダの右側板の外側に設けたカセット蓋ロック解除兼用カセット位置決め機構部とを説明するために、カセットホルダの前面側，後方側からそれぞれ見た斜視図、
図１１はカセットホルダ組立体において、カセットホルダの左側板の外側に設けたカセット位置決め兼用カセット押し出し機構部の状態を説明するための側面図であり、（ａ）は初期状態を示し、（ｂ）はカセットホルダ内にカセットが位置決めされた状態を示し、（ｃ）はカセットホルダ内からカセットが押し出される状態を示した図、
図１２は本発明に係るカセット装着装置において、アッパーフレーム組立体を示した斜視図である。
【００３７】
まず、図５に示した如く、ベース台組立体３０は、不図示の外装筺体内に取り付けられている。
【００３８】
このベース台組立体３０では、ビデオテープレコーダ１０（図１）と兼用されるベース台１１が板金材を用いて平坦な底板１１ａの内部を大きく肉抜きして軽量化が図られており、且つ、底板１１ａ上の左右後方に一対のブラケット３１，３１が上方に向かって垂直に互い対向して左右対称に取り付けられている。
【００３９】
上記した左右一対のブラケット３１，３１の下方部位には、図１２を用いて後述するアッパーフレーム組立体１１０中の左右一対の扇形アーム１１６，１１６を回動自在に軸支するために一対の軸受け３２，３２が横設されている。
【００４０】
また、左右一対のブラケット３１，３１の上方部位には、左右一対のカム溝３１ａ，３１ａが前方から後方に向かって上昇するようにベース台１１の底板１１ａに対して所定角度の傾斜を持って形成されており、これらのカム溝３１ａ，３１内に図１２を用いて後述するアッパーフレーム組立体１１０中の連結部材１１７と左右一対のリンクアーム１１８，（１１８）とを連結したピン１１９，（１１９）が嵌合されてアッパーフレーム１１１の姿勢を規制できるようになっている。この際、一対のブラケット３１，３１に形成したカム溝３１ａ，３１ａは、後述するように、アッパーフレーム組立体１１０中でアッパーフレーム１１１がカセット挿脱位置に至った時の天板１１１ａの傾斜方向（後ろ下がり）に対して逆方向（後ろ上がり）に傾斜させている。
【００４１】
また、一対のブラケット３１，３１の後方中間部位には、丸孔３１ｂ，３１ｂが穿設されており、左側のブラケット３１に穿設した丸孔３１ｂのみにギア付きオイルダンパ（図示せず）が取り付けられ、このギア付きオイルダンパが図１２を用いて後述するアッパーフレーム組立体１１０中で左側の扇形アーム１１６の下端部に形成したギア部１１６ｃに噛合することで、カセットホルダ７１及び連結部材１１７並びに左右一対のリンクアーム１１８，（１１８）を介して連結された左右一対の扇形アーム１１６，１１６がゆっくり回動するように緩衝している。
【００４２】
次に、図６及び図７に示した如く、メカシャーシ組立体４０は、ベース台組立体３０（図５）のベース台１１上で左右後方に取り付けた一対のブラケット３１，３１間に取り付けられている。
【００４３】
このメカシャーシ組立体４０では、ビデオテープレコーダ１０（図１）と兼用されるメカシャーシ１２が前述したように板金材を用いて上部を開口して箱状に一体的に折り曲げ形成されている。
【００４４】
また、メカシャーシ１２の前面板１２ｂの左側には、Ｌ字状曲げ片１２ｂ１が内側に向かって垂直にＬ字状に切り起こし形成されており、このＬ字状曲げ片１２ｂ１内に丸孔１２ｂ２（図７のみ図示）が穿設されている。また、メカシャーシ１２の右側板１２ｄの前方部位に丸孔１２ｄ１（図７のみ図示）が穿設されている。そして、上記した丸孔１２ｂ２，１２ｄ１内に図８を用いて後述するカセットホルダ組立体７０中の左右一対の第１リンクアーム１０１，１０１の下端部１０１ｂ，１０１ｂに一体的に突状に突出形成した軸部１０１ｃ，１０１ｃが軸支されるようになっている。
【００４５】
また、メカシャーシ１２の左側板１２ｃの前方部位の上下に円弧溝１２ｃ１と縦溝１２ｃ２とが形成されており、これらの円弧溝１２ｃ１及び縦溝１２ｃ２内に後述する第２カセットホルダロック機構部６０の部材が臨んでいる。また、メカシャーシ１２の右側板１２ｄの前方部位に逃げ孔１２ｄ２が穿設されている。
【００４６】
また、メカシャーシ１２の左右の側板１２ｃ，１２ｄの後方部位にカム溝１２ｃ３，１２ｄ３が左右対称に形成されており、これらのカム溝１２ｃ３，１２ｄ３内に図８を用いて後述するカセットホルダ組立体７０中の左右一対の第２リンクアーム１０２，１０２の下端部１０２ｂ，１０２ｂに固着させたピン１０４，（１０４）が嵌合できるようになっている。
【００４７】
更に、メカシャーシ１２の前面板１２ｂの内側に後述するカセットホルダ組立体７０（図８）中のカセットホルダ７１をカセット装着位置にロックするための第１カセットホルダロック機構部５０が取り付けられ、且つ、メカシャーシ１２の左側板１２ｃの内側にカセットホルダ７１を中間ロック位置にロックするための第２カセットホルダロック機構部６０が取り付けられている。
【００４８】
より具体的に説明すると、図７に示した如く、カセットホルダ７１をカセット装着位置にロックするための第１カセットホルダロック機構部５０は、メカシャーシ１２の底板１２ａ上で右側板１２ｄの内側にローデイングレバー５１が軸５２を中心に左右方向に回動可能に設けられており、このローデイングレバー５１は不図示のローディングモータの駆動力により磁気テープローディング動作に連動して回動するようになっている。
【００４９】
また、メカシャーシ１２の前面板１２ｂの内側の下方部位に、スライドプレート５４が各ガイドピンとこれに嵌合する各ガイド溝とにより左右方向（矢印Ｘ１，Ｘ２方向）にスライド可能に設けられている。
【００５０】
この際、上記したスライドプレート５４は、メカシャーシ１２の右側板１２ｄ側の下方部位に曲げ片５４ａが内側に向かってコ字状に折り曲げ形成されており、この曲げ片５４ａ内の孔にローデイングレバー５１の先端に固着させたピン５３が係合していると共に、スライドプレート５４の中間部位に第１，第２押圧片５４ｂ，５４ｃが内側に向かってＬ字状に曲げ形成され、且つ、メカシャーシ１２の左側板１２ｃ側の上下に第３，第４押圧片５４ｄ，５４ｅが内側に向かってＬ字状に曲げ形成されている。
【００５１】
また、メカシャーシ１２の前面板１２ｂの内側でスライドプレート５４に一部重ねてフック部材５５が各ガイドピンとこれに嵌合する各ガイド溝とにより左右方向（矢印Ｘ１，Ｘ２方向）にスライド可能に設けられており、このフック部材５５の上部中央部位に図７を用いて後述するカセットホルダ組立体７０中でカセットホルダ７１の天板７１ｄの前方中央部位に固着させたロック用ピン７３をカセット装着位置でロックするためのコ字状爪部５５ａが形成されている。
【００５２】
また、スライドプレート５４とフック部材５５との間にバネ５６が掛け渡されている。そして、このバネ５６は、ローデイングレバー５１に係合しているスライドプレート５４に対してフック部材５５をメカシャーシ１２の右方向（矢印Ｘ１方向）に常時付勢している。
【００５３】
尚、上記構成によりカセットホルダ７１をカセット装着位置にロックする第１カセットホルダロック機構部５０の動作については後で述べる。
【００５４】
次に、カセットホルダ７１を中間ロック位置でロックするための第２カセットホルダロック機構部６０は、メカシャーシ１２の底板１２ａ上で左側板１２ｃの内側に扇形レバー６１が軸６２を中心に左右方向に回動可能に設けられており、この扇形レバー６１は先端の右側及び左側に分かれて第１，第２押圧片６１ａ，６１ｂが上方に向かってＬ字状に曲げ形成されて、右側の第１押圧片６１ａが上記した第１カセットホルダロック機構部５０中のスライドプレート５４の第４押圧片５４ｅに接離自在になっている。
【００５５】
また、メカシャーシ１２の左側板１２ｃの内側の下方部位には押圧レバー６３が軸６４を中心に上下方向に回動可能に設けられており、且つ、この押圧レバー６３にＬ字状に曲げ形成した押圧片６３ａがメカシャーシ１２の左側板１２ｃの下方部位に形成した縦溝１２ｃ２内に進入して左側板１２ｃの外側に突出している。
【００５６】
また、メカシャーシ１２の左側板１２ｃの内側で押圧レバー６３に一部重ねてロックレバー６５が軸６６を中心に前後方向に回動可能に設けられており、且つ、このロックレバー６５の上部に固着したロック用ピン６７がメカシャーシ１２の左側板１２ｃの上方部位に形成した円弧溝１２ｃ１内に進入して左側板１２ｃの外側に突出していると共に、ロックレバー６５の下部に当接片６５ａが曲げ形成されている。そして、ロックレバー６５の当接片６５ａに扇形レバー６１の左側の第２押圧片６１ｂが接離自在になっている。
【００５７】
また、押圧レバー６３とロックレバー６５との間にバネ６８が掛け渡されており、このバネ６８は両レバー６３，６５同士が互いに接近するように付勢しているので、押圧レバー６３はバネ６８の付勢力で押圧片６３ａが縦溝１２ｃ２内を上動する方向に回動し、一方、ロックレバー６５はバネ６８の付勢力でロック用ピン６７が円弧溝１２ｃ１内を後方に向かうように回動している。
【００５８】
尚、上記構成によりカセットホルダ７１を中間ロック位置にロックする第２カセットホルダロック機構部６０の動作については後で述べる。
【００５９】
次に、図８に示した如く、カセットホルダ組立７０は、メカシャーシ組立体４０（図６，図７）中でメカシャーシ１２の左右の側板１２ｃ，１２ｄの内側前方部位に取り付けられている。
【００６０】
このカセットホルダ組立７０では、カセットホルダ７１が弾性変位可能なステンレス板材を用いて底板７１ａと、左右の側板７１ｂ，７１ｃと、天板７１ｄとに囲まれて箱状に組み立てられてこの内部にカセット１（図２）が挿脱自在になっている。
【００６１】
また、このカセットホルダ７１の左側板７１ｂの外側にカセット位置決め兼用カセット押し出し機構部８０が取り付けられ、且つ、カセットホルダ７１の右側板７１ｃの外側にカセット蓋ロック解除兼用カセット位置決め機構部９０が取り付けられていると共に、カセット位置決め兼用カセット押し出し機構部８０及びカセット蓋ロック解除兼用カセット位置決め機構部９０の各外側にＸ字状にクロスした左右一対のポップアップ機構部１００，１００が左右対称に取り付けられている。
【００６２】
更に、カセットホルダ７１の天板７１の前方中央部位に化粧カバー７２が固着され、この化粧カバー７２の下方にカセットホルダ７１をカセット装着位置にロックするためのロック用ピン７３が前方に向かって固着されている。
【００６３】
ここで、図９（ａ）〜（ｄ）に示した如く、カセットホルダ７１は、底板７１ａと、左側板７１ｂと、右側板７１ｃと、天板７１ｄとに囲まれて箱状に形成されており、カセットホルダ７１の前方が開口されてこの前方がカセット挿脱口となり、このカセット挿脱口からカセット１（図２）が挿脱でき、且つ、カセットホルダ７１の後方も開口されてこの後方が磁気テープ引き出し口となり、この磁気テープ引き出し口からカセット筺体２（図２）内の磁気テープ３が回転ドラム１４（図１）側に引き出し可能になっている。
【００６４】
また、カセットホルダ７１の底板７１ａの中央部位には、ここに搭載されるカセット１内の一対のリール４，４（図２）及びビデオテープレコーダ１０内の一対のリール台１３，１３（図１）に対応してリール用逃げ孔７１ａ１が大きく穿設され、且つ、底板７１ａの後方部位及び左側板７１ｂの後方部位に後述するカセット位置決め兼用カセット押し出し機構部８０（図１０）中のカセット位置決め兼用カセット押し出し板８１のカセット位置決め兼用カセット押し出し爪部８１ａが臨む逃げ孔７１ａｂが穿設されていると共に、底板７１ａの後方部位及び右側板７１ｃの後方部位に後述するカセット蓋ロック解除兼用カセット位置決め機構部９０（図１２）中のカセット蓋ロック解除兼用カセット位置決めレバー９１のカセット蓋ロック解除兼用カセット位置決め爪部９１ａが臨む逃げ孔７１ａｃが穿設されている。
【００６５】
また、カセットホルダ７１の左右の側板７１ｂ，７１ｃの上部後方部位に、図８を用いて後述する左右一対のポップアップ機構部１００，１００中の一対の第１リンクアーム１０１，１０１の上端部１０１ａ，１０１ａにそれぞれ内側に向かって固着させたピン１０３，１０３が嵌合するカム溝７１ｂ１，７１ｃ１が左右対称に穿設されている。
【００６６】
また、カセットホルダ７１の天板７１ｄは、前方側の左右部位に切り欠き部７１ｄ１，７１ｄ２がこのカセットホルダ７１内に載置されたカセット１のカセット筺体２の背面２ｄよりも引っ込んで奥行き方向に向かって切り欠かれており、且つ、前方側の中央部位に化粧カバー７２（図８）を取り付けるための突出片７１ｄ３が左右の切り欠き部７１ｄ１，７１ｄ２よりも前方に向かって突出形成されていると共に、カセットホルダ７１の左右の側板７１ｂ，７１ｃの前方部位は左右の切り欠き部７１ｄ１，７１ｄ２に略合わせて形成されているので、カセットホルダ７１がカセット挿脱位置に至った時に、左右の切り欠き部７１ｄ１，７１ｄ２によりカセット１の背面２ｄ側の左右がカセットホルダ７１の外に露出するため、使用者はカセット１の左右を把持し易くなっている。
【００６７】
また、カセットホルダ７１の天板７１ｄの前方に突出形成した突出片７１ｄ３内の中央前方部位にＬ字状曲げ片７１ｄ４がカセットホルダの幅方向に沿って上方に向かって僅かな高さでＬ字状に切り起こし形成されており、このＬ字状曲げ片７１ｄ４に対して略直角にロック用ピン７３が前方に向かって固着されており、このロック用ピン７３はカセットホルダ７１がカセット装着位置に至った時にメカシャーシ１２の前面板１２ｂの内側に設けた第１カセットホルダロック機構部５０によってロックされるようになっている。
【００６８】
また、カセットホルダ７１の天板７１ｄ上で且つ幅方向に沿った一直線上の左側と中央部位と右側との３箇所に逆Ｌ字状曲げ片７１ｄ５〜７１ｄ７が上方に向かって逆Ｌ字状に切り起こし形成されており、これら３箇所の逆Ｌ字状曲げ片７１ｄ５〜７１ｄ７に後述する左右一対のポップアップ機構部１００，１００（図８）中の長尺なシャフト７４が固着可能になっている。
【００６９】
更に、カセットホルダ７１の天板７１ｄの後方部位側の左右には、カセットホルダ７１内に載置したカセット１を底板７１ａ側に押圧するために左右一対のカセット押圧用板バネ７１ｄ８，７１ｄ９がステンレス板材の弾性力を利用して一体的に略左右対称に所定の幅を持って切り起こし形成されている。この際、カセットホルダ７１の天板７１ｄの左右は、前記した左右の切り欠き部７１ｄ１，７１ｄ２により奥行き寸法が短くなっているので、左右一対のカセット押圧用板バネ７１ｄ８，７１ｄ９は所定の角度（例えば４５°）を持って左右の側板７１ｂ，７１ｃ側に向かった後に各先端部位を後方側に向かって僅かに延出させており、これにより奥行き寸法が短くても弾性力がそれぞれ得られるようになっている。
【００７０】
次に、図１０（ａ），（ｂ）及び図１１（ａ）に示した如く、カセットホルダ７１の左側板７１ｂの外側に設けたカセット位置決め兼用カセット押し出し機構部８０は、カセットホルダ７１内に挿入したカセット１（図２）のカセット筐体２の左側面２ｂ側の前方部位をこの内部で所定の位置に位置決めする機能と、カセットホルダ７１がカセッ装着位置からカセット挿脱位置に上昇する動作に伴ってカセット１をカセットホルダ７１の前方に押し出す機能とを兼務している。
【００７１】
より具体的に説明すると、カセット位置決め兼用カセット押し出し機構部８０では、カセットホルダ７１の左側板７１ｂの外側下方にカセット位置決め兼用カセット押し出し板８１が各ガイドピンとこれに嵌合する各ガイド溝とにより前後方向（矢印Ｙ１，Ｙ２方向）にスライド可能に設けられている。
【００７２】
上記したカセット位置決め兼用カセット押し出し板８１は、カセットホルダ７１の後方に向かった先端にカセット位置決め兼用カセット押し出し爪部８１ａがカセットホルダ７１の左側板７１ｂの内側に向かって曲げ形成されており、このカセット位置決め兼用カセット押し出し爪部８１ａがカセットホルダ７１の底板７１ａの後方部位及び左側板７１ｂの後方部位に形成した逃げ孔７１ａｂ内に進入している。
【００７３】
また、カセット位置決め兼用カセット押し出し板８１で奥行き方向の中間部位に切り欠き８１ｂが上方に向かって形成され、この切り欠き８１ｂ内に左側の第１リンクアーム１０１（図８）に固着させたピン１０３が進入可能になっている。
【００７４】
また、カセットホルダ７１の左側板７１ｂの前方部位と、カセット位置決め兼用カセット押し出し板８１の中間部位との間にバネ８２が掛け渡されており、このバネ８２は、初期状態時にカセット位置決め兼用カセット押し出し板８１をカセットホルダ７１の前方（矢印Ｙ１方向）に向かって常時付勢している。
【００７５】
また、カセット位置決め兼用カセット押し出し板８１の上部前方部位に軸８３が固着されており、この軸８３にロックレバー８４が上下方向に回動自在に軸支されている。これにより、カセット位置決め兼用カセット押し出し板８１を親亀にたとえ、この板８１上の軸８３に軸支されたロックレバー８４を子亀にたとえると、親亀の背中に小亀が乗った状態となり、即ち、ロックレバー８４がカセット位置決め兼用カセット押し出し板８１と一体に前後方向（矢印Ｙ１，Ｙ２方向）に移動する態様と、ロックレバー８４がカセット位置決め兼用カセット押し出し板８１上で上下方向に回動する態様とを取り得るようになっている。
【００７６】
上記したロックレバー８４は、カセット位置決め兼用カセット押し出し板８１を所定の位置にロックするものであり、これに伴ってロックレバー８４の前方下方部位にロック用切り欠き部８４ａが凹状に切り欠き形成されている。
【００７７】
また、カセット位置決め兼用カセット押し出し板８１の前方上方部位と、ロックレバー８４の上方後方部位との間にバネ８５が掛け渡されており、このバネ８５は、初期状態時にロックレバー８４を軸８３を中心に図示時計方向に常時付勢している。
【００７８】
また、ロックレバー８４の後方下方部位にシャフト８６が固着されて、このシャフト８６にロック解除用のネジリバネ８７が嵌入しており、このネジリバネ８７の上端部がカセットホルダ７１の天板７１ｄよりも上方に略く字状に突出している共に、ネジリバネ８７の下端部がロックレバー８４に掛止されている。
【００７９】
更に、カセット位置決め兼用カセット押し出し板８１の前方上方部位と、ロックレバー８４の前方下方部位との間に、カセットホルダ７１の左側板７１ｂの外側に固着したロック用ピン８８がカセット位置決め兼用カセット押し出し板８１に形成した逃げ溝内から外側に向かって突出しており、このロック用ピン８８にロックレバー８４のロック用切り欠き部８４ａが接離自在になっている。
【００８０】
そして、図１１（ｂ）に示した状態は、カセットホルダ７１内にカセット１を位置決めする状態を示しており、カセット挿脱位置でカセット１をカセットホルダ７１内に挿入する動作に伴って、カセット筐体２の前方部位がカセット位置決め兼用カセット押し出し板８１のカセット位置決め兼用カセット押し出し爪部８１ａに当接してこのカセット位置決め兼用カセット押し出し板８１がバネ８２の付勢力に抗して矢印Ｙ２方向に押されながら所定の位置まで至った時に、カセット位置決め兼用カセット押し出し板８１上のロックレバー８４も一体に矢印Ｙ２方向に移動してロックレバー８４のロック用切り欠き部８４ａがバネ８５の付勢力によりロック用ピン８８に係合してカセット位置決め兼用カセット押し出し板８１が所定の位置にロックされるので、カセット位置決め兼用カセット押し出し爪部８１ａによりカセット筐体２の前方部位が所定の位置に位置決めされる。この後、カセットホルダ７１内に位置決めされたカセット１は、カセット装着位置に下降可能になっている。
【００８１】
更に、図１１（ｃ）に示した状態は、ロックレバー８４上のシャフト８６に嵌入したネジリバネ８７の動作によりロックレバー８４のロック用切り欠き部８４ａによるロック用ピン８８へのロックが解除されて、カセット位置決め兼用カセット押し出し板８１のカセット位置決め兼用カセット押し出し爪部８１ａによりバネ８２の付勢力でカセットホルダ７１内からカセット１を矢印Ｙ１方向に押し出す状態を示しており、このカセット位置決め兼用カセット押し出し板８１によるカセット押し出し動作については後述する。
【００８２】
次に、図１０（ｂ）に示した如く、カセットホルダ７１の右側板７１ｃの外側に設けたカセット蓋ロック解除兼用カセット位置決め機構部９０は、カセットホルダ７１内にカセット１（図２）を挿入する動作に伴ってカセット蓋ロックレバー６によるカセット蓋５へのロックを解除する機能と、カセットホルダ７１内に挿入したカセット１のカセット筐体２の右側面２ｃ側の前方部位をこの内部で所定の位置に位置決めする機能とを兼務している。
【００８３】
より具体的に説明すると、カセット蓋ロック解除兼用カセット位置決め機構部９０では、カセットホルダ７１の右側板７１ｃの外側にカセット蓋ロック解除兼用カセット位置決めレバー９１が右側板７１ｃの前方側に植設した軸９２を中心に上下方向に回動自在に設けられている。  上記したカセット蓋ロック解除兼用カセット位置決めレバー９１は、カセットホルダ７１の後方に向かった先端にカセット蓋ロック解除兼用カセット位置決め爪部９１ａがカセットホルダ７１の右側板７１ｃの内側に向かって曲げ形成されており、このカセット蓋ロック解除兼用カセット位置決め爪部９１ａがカセットホルダ７１の底板７１ａの後方部位及び右側板７１ｃの後方部位に形成した逃げ孔７１ａｃ内に進入している。
【００８４】
また、カセット蓋ロック解除兼用カセット位置決めレバー９１の上部で奥行き方向の中間部位にコ字状曲げ片９１ｂが曲げ形成されており、このコ字状曲げ片９１ｂ内にカセットホルダ７１の天板７１ｄの右側に一体形成したカセット押圧用板バネ７１ｄ９の端部が係合して、このカセット押圧用板バネ７１ｄ９の付勢力によりカセット蓋ロック解除兼用カセット位置決めレバー９１を高さ方向に対して初期位置に戻している。
【００８５】
そして、上記のように構成したカセット蓋ロック解除兼用カセット位置決め機構部９０の動作を説明すると、カセットホルダ７１内にカセット１（図２）を挿入する動作に伴って、カセット蓋ロック解除兼用カセット位置決めレバー９１の先端に形成したカセット蓋ロック解除兼用カセット位置決め爪部９１ａでカセット１（図２）のカセット筐体２の右側面２ｃ側に設けたカセット蓋ロックレバー６によるカセット蓋５へのロックを解除すると共に、このカセット蓋ロック解除兼用カセット位置決め爪部９１ａでカセット筐体２の右側面２ｃ側の前方部位を所定の位置に位置決めしている。
【００８６】
図８に戻り、カセットホルダ７１の左右の側板７１ｂ，７１ｃの外側に設けた左右一対のポップアップ機構部１００，１００は互いに対向して左右対称に構成されており、カセットホルダ７１をカセット挿脱位置とカセット装着位置との間で上下動させるようになっている。
【００８７】
より具体的に説明すると、左右一対のポップアップ機構部１００，１００では、カセットホルダ７１に対して各上端部を移動自在に連結させた第１リンクアーム１０１，１０１と、カセットホルダ７１に対して各上端部を固着させた第２リンクアーム１０２，１０２とを各アームの中間部位でＸ状にクロスさせ、且つ、クロスさせた部位の一方に孔を穿設し、他方に突状の突部を突出形成して凹凸嵌合させることで、第１リンクアーム１０１，１０１を第２リンクアーム１０２，１０２に対して回動自在に軸支する左右一対の軸部Ｊ１，（Ｊ１）が形成されている。
【００８８】
また、左側の第１リンクアーム１０１の上端部に内側に向かって固着させたピン１０３がカセットホルダ７１の左側板７１ｂの上部後方部位に形成したカム溝７１ｂ１内に嵌合していると共に、第１リンクアーム１０１の下端部１０１ｂに一体的に突状に突出形成した軸部１０１ｃが図７に示したメカシャーシ１２の前面板１２ｂの左側に内側に向かってＬ字状に切り起こし形成したＬ字状曲げ片１２ｂ１の丸孔１２ｂ２内に軸支されている。
【００８９】
一方、右側の第１リンクアーム１０１は、上端部１０１ａに内側に向かって固着させたピン１０３がカセットホルダ７１の右側板７１ｃの上部後方部位に形成したカム溝７１ｃ１内に嵌合しているものの、第１リンクアーム１０１の下端部１０１ｂに一体的に突状に突出形成した軸部１０１ｃが図７に示したメカシャーシ１２の右側板１２ｄの内側からこの右側板１２ｄの前方部位に穿設した丸孔１２ｄ１内に軸支されている。
【００９０】
また、カセットホルダ７１の天板７１の幅方向に沿って切り起こし形成した第１〜第３切り起こし片７１ｄ５〜７１ｄ７に長尺なシャフト７４が横設され且つ固着されており、この長尺なシャフト７４の両端部は左右の側板７１ｂ，７１ｃの各外側に延出されて左右一対の第２リンクアーム１０２，１０２の上端部１０２ａ，１０２ａにそれぞれ固着されている。
【００９１】
また、左右一対の第２リンクアーム１０２，１０２の下端部１０２ｂ，（１０２ｂ）にそれぞれ外側に向かって固着させたピン１０４，（１０４）が図６及び図７に示したメカシャーシ１２の左右の側板１２ｃ，１２ｄの内側から各側板１２ｃ，１２ｄの後方部位に形成した各カム溝１２ｃ３，１２ｄ３内に嵌合している。
【００９２】
また、左右一対の第２リンクアーム１０２，１０２中で左右一対の第１リンクアーム１０１，１０１に対してＸ字状にクロスした各軸部Ｊ１，（Ｊ１）より上方にそれぞれ外側に向かって固着させたピン１０５，（１０５）が、図１２を用いて後述するアッパーフレーム組立体１１０中でアッパーフレーム１１１の左右の側板１１１ｂ，１１１ｃの前方下方部位に形成したカム溝１１１ｂ２，１１１ｃ２内に嵌合している。
【００９３】
更に、左右一対の第１リンクアーム１０１，１０１の各下端に形成したバネ掛止部１０１ｄ，１０１ｄと、左右一対の第２リンクアーム１０２，１０２の各下端に形成したバネ掛止部１０２ｃ，（１０２ｃ）との間に左右一対のバネ１０６，１０６が掛け渡されている。この際、左右一対のバネ１０６，１０６は、各上端部１０２ａ，１０２ａをシャフト７４を介してカセットホルダ７１に固着させた左右一対の第２リンクアーム１０２，１０２に対して各軸部Ｊ１，（Ｊ１）を中心にして左右一対の第１リンクアーム１０１，１０１を図示時計方向に回動させる付勢力を有しており、言い換えると、左右一対のバネ１０６，１０６は、Ｘ字状にクロスした第１リンクアーム１０１，１０１と第２リンクアーム１０２，１０２とでカセットホルダ７１を上昇させる方向に付勢している。
【００９４】
尚、左右一対のポップアップ機構部１００，１００は、上記した構造に限定されるものでもなく、カセットホルダ７１をカセット挿脱位置とカセット装着位置との間で上下動できる構造形態であれば良いものである。
【００９５】
次に、図１２に示した如く、アッパーフレーム組立体１１０は、アッパーフレーム１１１内に左右一対のポップアップ機構部１００，１００（図８）を介してカセットホルダ７１を支持した状態で、ベース台組立体３０（図５）中でベース台１１の左右後方に取り付けた左右一対のブラケット３１，３１に回動可能に軸支されている。
【００９６】
このアッパーフレーム組立体１１０では、アッパーフレーム１１１がステンレス材を用いて天板７１ａと、この天板７１ａの左右を下方に向かって折り曲げ形成した左右の側板１１１ｂ，１１１ｃとで囲まれており、且つ、左右の側板１１１ｂ，１１１ｃ間にカセットホルダ組立７０（図８）中のカセットホルダ７１が左右一対のポップアップ機構部１００，１００を介して上下動自在に支持されている。
【００９７】
また、アッパーフレーム１１１の天板１１１ａの前方部位で幅方向の中央部位の左右に一対の角孔１１１ａ１，１１１ａ１が穿設されており、この天板１１１ａ上に取り付けた左右一対の板バネ１１２，１１２がコ字状に折り曲げられた状態で角孔１１１ａ１，１１１ａ１内から下方のカセットホルダ７１に向かって臨んでいる。言い換えると、アッパーフレーム１１１の天板１１１ａの内面と、カセットホルダ７１の天板７１ｄ上との間に左右一対の板バネ１１２，１１２がコ字状に折り曲げられた状態で介装されたことになる。
【００９８】
そして、アッパーフレーム１１１の左右の側板１１１ｂ，１１１ｃ間の内側にカセットホルダ組立７０（図８）中のカセットホルダ７１を支持し、このカセットホルダ７１がカセット装着位置に至った時に、一対の角孔１１１ａ１，１１１ａ１内に臨んでいる左右一対の板バネ１１２，１１２がカセットホルダ７１の天面７１ｄ上に固着した長尺なシャフト７４（図８）に当接してカセットホルダ７１を押圧しているために、カセット装着位置で使用者がアッパーフレーム１１１上に固着した蓋カバー１１３の適宜な位置から押圧しても、押圧力が左右一対の板バネ１１２，１１２から長尺なシャフト７４を介してカセットホルダ７１に伝達されるので、カセットホルダ７１の前方中央部位に取り付けたロック用ピン７３がメカシャーシ１２の前面板１２ｂの内側に設けた第１カセットホルダロック機構部５０（図６，図７）に確実にロックされるようになっている。
【００９９】
また、アッパーフレーム１１１の天板１１１ａ上に押圧用として固着される蓋カバー１１３は、樹脂材を用いて矩形状に形成されており、この蓋カバー１１３の中間部位に透明な窓枠１１３ａが形成され、且つ、前方部位に形成したネジ取り付け孔１１３ｂ，１１３ｂからネジ１１４，１１４を挿入して、蓋カバー１１３が天板１１１ａの前方部位の左右に形成した一対のネジ孔１１１ａ２，１１１ａ２により取り付けられている。この際、蓋カバー１１３の前端部１１３ｃが、カセット挿脱位置で、カセットホルダ７１の天板７１ｄの前方中央部位に固着した化粧カバー７２（図８）の後方に位置するように取り付けられている。
【０１００】
また、アッパーフレーム１１１の左右の側板１１１ｂ，１１１ｃの上方部位で奥行き方向の中間部位に丸孔１１１ｂ１，１１１ｃ１が穿設されており、長尺なシャフト１１５を一方の丸孔１１１ｂ１（１１１ｃ１）から挿入して天板１１１ａの裏面に沿いながら他方の１１１ｃ１（１１１ｂ１）に貫通させて回動可能に支持させており、且つ、この長尺なシャフト１１５の両端部をアッパーフレーム１１１の左右の側板１１１ｂ，１１１ｃの外側に設けた左右一対の扇形アーム１１６，１１６の上部後方部位にそれぞれ固着させていると共に、後述の図１３（ａ）に示すように左右一対の扇形アーム１１６，（１１６）はメカシャーシ１２の左右の側板１２ｃ，１２ｄの外側に配置されている。
【０１０１】
また、アッパーフレーム１１１の左右の側板１１１ｂ，１１１ｃの前方下方部位にカム溝１１１ｂ２，１１１ｃ２が前方から後方に向かって上昇するように所定角度の傾斜を持って形成されており、前述したようにこれらのカム溝１１１ｂ２，１１１ｃ２内にカセットホルダ組立体７０（図８）中の第２リンクアーム１０２，１０２に固着させたピン１０５，（１０５）が嵌合可能になっている。
【０１０２】
また、アッパーフレーム１１１の左右の側板１１１ｂ，１１１ｃの後方部位に板金部材を用いて折り曲げ形成した連結部材１１７が取り付けられており、この連結部材１１７はアッパーフレーム１１１の後方部位を外側から囲んで各上端部１１７ａがアッパーフレーム１１１の左右の側板１１１ｂ，１１１ｃの後方部位に軸部Ｊ２，（Ｊ２）を介して回動自在に軸支されている。
【０１０３】
また、左右一対の扇形アーム１１６，１１６の中間部位の外側に左右一対のリンクアーム１１８，（１１８）の各一端部１１８ａが軸部Ｊ３，（Ｊ３）を介して回動可能に軸支されている。
【０１０４】
また、連結部材１１７の各下端部１１７ｂと、左右一対のリンクアーム１１８，（１１８）の各他端部１１８ｂとをピン１１９，（１１９）により回動自在に連結すると共に、これらのピン１１９，（１１９）をベース台組立体３０（図５）のベース台１１上で左右後方に取り付けた一対のブラケット３１，３１の上方部位に傾斜して形成したカム溝３１ａ，３１ａ内に嵌合させて、アッパーフレーム１１１の姿勢を規制している。
【０１０５】
また、左右一対の扇形アーム１１６，１１６の下端部に段付きシャフト１２０，１２０が外側に向かってそれぞれ固着されており、これらの段付きシャフト１２０，１２０はベース台組立体３０（図５）中で左右一対のブラケット３１，３１にそれぞれ取り付けた軸受け３２，３２に回動自在に軸支されている。
【０１０６】
また、左右一対の扇形アーム１１６，１１６の上部前方部位に爪部１１６ａ，１１６ａが上方に向かって形成されており、左側の扇形アーム１１６に形成した爪部１１６ａのみが中間ロック位置でメカシャーシ１２の左側板１２ｃの内側に設けた第２カセットホルダロック機構部６０（図６，図７）に確実にロックされるようになっている。
【０１０７】
また、左右一対の扇形アーム１１６，１１６の爪部１１６ａ，１１６ａの下方にバネ掛止部１１６ｂ，１１６ｂが外側に向かって突出形成されており、これらのバネ掛止部１１６ｂ，１１６ｂに左右一対のバネ１２１，（１２１）の各一端部が掛止され、且つ、左右一対のバネ１２１，（１２１）の各他端部はベース台組立体３０（図５）中で左右一対のブラケット３１，３１の上部後方部位に形成したバネ掛止部３１ｃ，３１ｃに掛止されている。
【０１０８】
この際、左右一対のバネ１２１，（１２１）は、ベース台組立体３０（図５）中で左右一対のブラケット３１，３１にそれぞれ取り付けた軸受け３２，３２に軸支された段付きシャフト１２０，１２０を中心にして左右一対の扇形アーム１１６，１１６を図示反時計方向に回動させる付勢力を有しており、言い換えると、左右一対のバネ１２１，（１２１）は、アッパーフレーム１１１内に支持したカセットホルダ７１を上昇させる方向に付勢している。
【０１０９】
また、左右一対の扇形アーム１１６，１１６の下端部にギア部１１６ｃ，（１１６ｃ）が形成されており、左側の扇形アーム１１６に形成したギア部１１６ｃのみが不図示のギア付きオイルダンパに噛合している。
【０１１０】
次に、本発明に係るカセット装着装置２０において、アッパーフレーム１１１内に支持されたカセットホルダ７１がカセット装着位置と、カセット挿脱位と、中間ロック位置とにそれぞれ至った時の動作について図１３〜図１８を用いて説明する。尚、図１３〜図１８の説明では、メカシャーシ１２の左側板１２ｃ側及びカセットホルダ７１の左側板７１ｂ側並びにアッパーフレーム１１１の左側板１１１ｂ側についてのみ述べ、こられ左側と対称な右側の説明を省略する。
【０１１１】
図１３（ａ），（ｂ）は本発明に係るカセット装着装置において、アッパーフレーム内に支持されたカセットホルダがカセット装着位置に至った状態を示した外観斜視図，側面図、
図１４（ａ），（ｂ）は本発明に係るカセット装着装置において、カセット装着位置に至ったアッパーフレーム及びアッパーフレーム内に支持されたカセットホルダを示した斜視図，側面図、
図１５（ａ），（ｂ）は本発明に係るカセット装着装置において、アッパーフレーム内に支持されたカセットホルダがカセット挿脱位置に至った状態を示した外観斜視図，側面図、
図１６（ａ），（ｂ）は本発明に係るカセット装着装置において、カセット挿脱位置に至ったアッパーフレーム及びアッパーフレーム内に支持されたカセットホルダを示した斜視図，側面図、
図１７（ａ），（ｂ）は本発明に係るカセット装着装置において、アッパーフレーム内に支持されたカセットホルダが中間ロック位置に至った状態を示した外観斜視図，側面図、
図１８（ａ），（ｂ）は本発明に係るカセット装着装置において、中間ロック位置に至ったアッパーフレーム及びアッパーフレーム内に支持されたカセットホルダを示した斜視図，側面図である。
【０１１２】
まず、図１３（ａ），（ｂ）及び図１４（ａ），（ｂ）は、アッパーフレーム１１１内に支持されたカセットホルダ７１がカセット装着位置に至った状態を示している。
【０１１３】
このカセット装着位置では、カセットホルダ７１内にカセット１（図２）が載置されていない場合に、カセット装着装置２０が初期状態である。一方、カセットホルダ７１内にカセット１が載置されている場合には、カセット筐体２（図２）内の一対のリール４，４がビデオテープレコーダ１０（図１）内の一対のリール台１３，１３に係合するのでカセット装着装置２０が使用状態である。
【０１１４】
ここでは、アッパーフレーム１１１にシャフト１１５を介して連結した扇形アーム１１６がバネ１２１の付勢力に抗してブラケット３１に取り付けた軸受け３２に嵌合した段付シャフト１２０を中心にして図示時計方向に回動しているので、この扇形アーム１１６の時計方向の回動に協働して第１リンクアーム１０１と第２リンクアーム１０２とをＸ字状にクロスさせたポップアップ機構部１００が下降し、これによりアッパーフレーム１１１内に支持されたカセットホルダ７１がカセット装着位置に至っている。
【０１１５】
この際、扇形アーム１１６の時計方向への回動に伴って、先に図１２で説明したカセットホルダ７１の左右の側板７１ｂ，７１ｃの後方部位に回動自在に軸支された連結部材１１７と、リンクアーム１１８とを連結したピン１１９がブラケット３１の上方部位に傾斜して形成したカム溝３１ａ内を前方側に向かって下動していると共に、先に図８を用いて説明したポップアップ機構部１００中で第２リンクアーム１０２に固着したピン１０５がアッパーフレーム１１１（図１２）の左側板１１１ｂの前方下方部位に形成したカム溝１１１ｂ２内の後方側に移動しているので、これに伴って扇形アーム１１６と連結部材１１７（図１２）とリンクアーム１１８とからなるリンク機構によりアッパーフレーム１１１がカセットホルダ７１の前方（矢印Ｙ１方向）側に移動し、このアッパーフレーム１１１上に取り付けた蓋カバー１１３も一体にカセットホルダ７１の前方側に移動し、この蓋カバー１１３がカセットホルダ７１の天板７１ｄの中央前方部位に取り付けた化粧カバー７２と一部重なり合った状態でカセット装着装置２０を閉蓋している。
【０１１６】
また、カセット装着位置では、カセットホルダ７１の天板７１ｄの前方中央部位に固着したロック用ピン７３が第１カセットホルダロック機構部５０（図７）により確実にロックされている。
【０１１７】
このカセット装着位置において、第１カセットホルダロック機構部５０の動作を図７を用いて説明すると、カセットホルダ７１が下降してカセット装着位置に至ると、カセットホルダ７１の天板７１ｄの前方中央部位に固着させたロック用ピン７３が上方からフック部材５５のコ字状爪部５５ａの上部テーパに当接するのでフック部材５５がバネ５６に抗して矢印Ｘ２方向に一時的に移動するものの、ロック用ピン７３がフック部材５５のコ字状爪部５５ａ内に進入するとバネ５６の付勢力でフック部材５５が矢印Ｘ１方向に戻りロック用ピン７３がロックされる。この後、ローデイングレバー５１が軸５２を中心にして図示反時計方向に回動するので、このローデイングレバー５１に係合したスライドプレート５４が矢印Ｘ１方向に移動し、このローデイングレバー５１の第２，第３押圧片５４ｃ，５４ｄでフック部材５５を矢印Ｘ１方向に更に押圧するので、ロック用ピン７３がフック部材５５のコ字状爪部５５ａに対してバネ５６の付勢力とローデイングレバー５１とにより二重にロックされた状態となりカセット装着位置でカセットホルダ７１が確実にロックされることになる。
【０１１８】
更に、カセット装着位置でカセットホルダ７１のロックを解除する場合には、上記とは逆にローデイングレバー５１が軸５２を中心にして図示時計方向に回動するので、このローデイングレバー５１に係合したスライドプレート５４が矢印Ｘ２方向に移動し、このローデイングレバー５１の第１，第２押圧片５４ｂ，５４ｃでフック部材５５をバネ５６に抗して矢印Ｘ２方向に押圧しながら移動させているので、ロック用ピン７３がフック部材５５のコ字状爪部５５ａ内から離脱してロック解除されることになる。
【０１１９】
次に、図１５（ａ），（ｂ）及び図１６（ａ），（ｂ）は、アッパーフレーム１１１内に支持されたカセットホルダ７１がカセット挿脱位置に至った状態を示している。
【０１２０】
このカセット挿脱位置では、カセットホルダ７１内にカセット１（図２）を挿脱するために、アッパーフレーム１１１内に支持されたカセットホルダ７１が不図示の外装筐体よりも上方に突出した形態を取っている。
【０１２１】
即ち、上述したようにカセット装着位置でカセットホルダ７１へのロックが解除されると、アッパーフレーム１１１にシャフト１１５を介して連結した扇形アーム１１６がバネ１２１の付勢力によりベース台１１上のブラケット３１に取り付けた軸受け３２に嵌合した段付シャフト１２０を中心にして図示反時計方向に回動するので、この扇形アーム１１６の反時計方向の回動に協働して第１リンクアーム１０１と第２リンクアーム１０２とをＸ字状にクロスさせたポップアップ機構部１００が矢印Ｚ１方向に上昇し、これによりアッパーフレーム１１１内に支持されたカセットホルダ７１がカセット挿脱位置に至る。
【０１２２】
この際、扇形アーム１１６の反時計方向への回動に伴って、カセットホルダ７１の左右の側板７１ｂ，７１ｃの後方部位に回動自在に軸支された連結部材１１７と、リンクアーム１１８とを連結したピン１１９がブラケット３１の上方部位に傾斜して形成したカム溝３１ａ内を後方側に向かって上動していると共に、先に図８を用いて説明したポップアップ機構部１００中で第２リンクアーム１０２に固着したピン１０５がアッパーフレーム１１１（図１２）の左側板１１１ｂの前方下方部位に形成したカム溝１１１ｂ２内の前方側に移動しているので、これに伴って扇形アーム１１６と連結部材１１７とリンクアーム１１８とからなるリンク機構によりアッパーフレーム１１１がカセットホルダ７１のカセット挿脱口よりも後方（矢印Ｙ２方向）側に移動して退避され、このアッパーフレーム１１１上に取り付けた蓋カバー１１３も一体にカセットホルダ７１のカセット挿脱口よりも後方側に移動して退避され、この蓋カバー１１３がカセットホルダ７１の天板７１ｄの前方中央部位に取り付けた化粧カバー７２よりも後方に後退することになる。
【０１２３】
言い換えると、上方のカセット挿脱位置と下方のカセット装着位置との間で姿勢を規制されながらアッパーフレーム１１１を上下動させるにあたって、アッパーフレーム１１１の左右の側板１１１ｂ，１１１ｃに各上端部をシャフト１１５を介して固着し且つ各下端部に固着した段付シャフト１２０，１２０をベース台１１上の左右一対のブラケット３１，３１に軸支した左右一対の扇形アーム１１６，１１６と、アッパーフレーム１１１の左右の側板１１１ｂ，１１１ｃに各上端部を軸部Ｊ２，Ｊ２を介して軸支した連結部材１１７と、左右一対の扇形アーム１１６，１１６に各一端部を軸部Ｊ３，Ｊ３を介して軸支し且つ各他端部を連結部材１１７の各下端部とピン１１９，１１９を介して連結させた左右一対のリンクアーム１１８，１１８とから左右一対のリンク機構を構成した上で、上記したピン１１９，１１９をベース台１１上の左右一対のブラケット３１，３１に所定角度の傾斜を持って形成したカム溝３１ａ，３１ａ内に嵌合させることで、アッパーフレーム１１１の姿勢規制が可能になっている。
【０１２４】
そして、アッパーフレーム１１１がカセットホルダ７１のカセット挿脱口よりも後方（矢印Ｙ２方向）側に退避した時に、このアッパーフレーム１１１内に支持したカセットホルダ７１はアッパーフレーム１１１よりも前方に突出しているので、カセットホルダ７１に対してカセット１を容易に挿脱することができる。
【０１２５】
また、ベース台１１の取り付け面を装置の高さ基準と設定した場合、カセット挿脱位置では、アッパーフレーム１１１がカセットホルダ７１のカセット挿脱口よりも後方（矢印Ｙ２方向）側に退避しているために、アッパーフレーム１１１上に取り付けた蓋カバー１１３の最高位の高さと、カセットホルダ７１の最高位の高さとが略等しくなり、アッパーフレーム１１１上に蓋カバー１１３を一体的に固着させてもカセット挿脱位置でカセット装着装置２０の突出高さＨを低く設定できる。
【０１２６】
次に、図１７（ａ），（ｂ）及び図１８（ａ），（ｂ）はカセット挿脱位置でカセットホルダ７１の前方からカセット１を挿入した後に、アッパーフレーム１１１上に固着した蓋カバー１１３をバネ１２１の付勢力に抗して押圧しながらカセットホルダ７１を矢印Ｚ２方向に下降させる途中で使用者がカセットホルダ７１の下降を中止させたい場合にカセットホルダ７１を途中でロックさせる状態を示している。
【０１２７】
この場合、カセット挿脱位置でカセットホルダ７１内にカセット１を挿入すると、先に図１０（ｂ）で説明したように、カセットホルダ７１の右側板７１ｃの外側に取り付けたカセット蓋ロック解除兼用カセット位置決め機構部９０によりカセット蓋５（図２）が開くものの、カセットホルダ７１の下降を途中で止めた後にカセットホルダ７１をカセット挿脱位置に戻そうとすると、カセット筐体２（図２）内で一対のリール４，４に巻回した磁気テープ３が緩んだまま戻されてカセット挿脱位置でカセット１が引き出される危険性があるために、カセットホルダ７１の下降を途中で止めた時にカセットホルダ７１を上昇できないようにカセットホルダ７１を中間ロック位置でロックさせていると共に、ロック後にカセットホルダ７１をカセット装着位置に下降させる動作に対しては許容している。
【０１２８】
より具体的に図７を併用して説明すると、カセット挿脱位置でアッパーフレーム１１１上に固着した蓋カバー１１３を押圧すると、アッパーフレーム１１１にシャフト１１５を介して連結した扇形アーム１１６がバネ１２１の付勢力に抗してベース台１１上のブラケット３１に取り付けた軸受け３２に嵌合した段付シャフト１２０を中心にして図示時計方向に回動するので、この扇形アーム１１６の回動に協働して第１リンクアーム１０１と第２リンクアーム１０２とをＸ字状にクロスさせたポップアップ機構部１００が矢印Ｚ２方向に下降し、この下降途中で使用者がカセットホルダ７１の下降を中止すると、扇形アーム１１６が先に図７を用いて説明したメカシャーシ１２の左側板１２ｃの内側に設けた第２カセットホルダロック機構部６０中で軸６６を中心に回動可能なロックレバー６５の上部に固着され且つ左側板１２ｃに形成した円弧溝１２ｃ１内から外側に向かって臨んだロック用ピン６７に当接してロック用ピン６７が前方側に向かって逃げ、この後にこのロック用ピン６７がバネ６８の付勢力により扇形アーム１１６の爪部１１６ａ内に進入するので、カセットホルダ７１が中間ロック位置にロックされると共に、ロックレバー６５の下部に形成した当接片６５ａがメカシャーシ１２の底板１２ａ上に軸６２を中心に回動可能な扇形レバー６１の第２押圧片６１ｂに当接することでロックレバー６５がロック状態に保持される。これにより、カセットホルダ７１はカセット挿脱位置側への上昇ができない状態となる。
【０１２９】
この際、アッパーフレーム１１１内に支持したカセットホルダ７１が矢印Ｚ２方向に下降する動作に伴って、扇形アーム１１６が図示時計方向に回動するので、カセットホルダ７１の左右の側板７１ｂ，７１ｃの後方部位に回動自在に軸支された連結部材１１７（図１２）と、リンクアーム１１８とを連結したピン１１９がブラケット３１の上方部位に傾斜して形成したカム溝３１ａ内を前方側に向かって下動し、これに伴って扇形アーム１１６と連結部材１１７（図１２）とリンクアーム１１８とからなるリンク機構によりアッパーフレーム１１１がカセットホルダ７１の前方（矢印Ｙ１方向）側に移動し、このアッパーフレーム１１１上に取り付けた蓋カバー１１３も一体にカセットホルダ７１の前方側に移動している。
【０１３０】
そして、中間ロック位置からアッパーフレーム１１１上に固着した蓋カバー１１３を更に押圧すると、扇形アーム１１６が第２カセットホルダロック機構部６０中で軸６４を中心に回動可能な押圧レバー６３の上部に形成されて左側板１２ｃに形成した縦溝１２ｃ２内から外側に向かって臨んだ押圧片６３ａを押しながら時計方向に更に回動するのでカセットホルダ７１がカセット装着位置に至る。このカセット装着位置でカセット筐体２（図２）内の磁気テープ３の緩みをビデオテープレコーダ１０（図１）内に設けた一対のリール台１３，１３の回転駆動により修正している。
【０１３１】
この後、カセットホルダ７１をカセット装着位置からカセット挿脱位置に上昇させるには、カセットホルダ７１がカセット装着位置に至った状態でロックレバー６５のロックを解除する必要があり、この実施例では磁気テープローディング動作によりロックレバー６５のロックを解除している。
【０１３２】
即ち、ロックレバー６５のロック解除は、図７に示した如く、メカシャーシ１２の底板１２ａ上に設けたローデイングレバー５１を軸５２を中心にして図示時計方向に回動させて、このローデイングレバー５１に係合したスライドプレート５４を矢印Ｘ２方向に移動させると、このスライドプレート５４の下部左方に形成した第４押圧片５４ｅがメカシャーシ１２の底板１２ａ上に設けた扇形レバー６１の第１押圧片６１ａを押すので扇形レバー６１が軸６２を中心に図示時計方向に回動し、これにより扇形レバー６１の第２押圧片６１ｂがロックレバー６５の下部に形成した当接片６５ａを押すので、ロックレバー６５のロック位置が解除される。
【０１３３】
この後、バネ１２１の付勢力でアッパーフレーム１１１内に支持されたカセットホルダ７１をカセット装着位置からカセット挿脱位置に上昇させることができる。
【０１３４】
次に、本発明に係るカセット装着装置２０において、カセットホルダ７１の左側板７１ｂの外側に取り付けたカセット位置決め兼用カセット押し出し機構部８０によりカセットホルダ７１内に位置決めして載置したカセット１を押し出す動作について図１９〜図２１を用いて説明する。
【０１３５】
図１９（ａ），（ｂ）は本発明に係るカセット装着装置において、カセット装着位置でのカセット位置決め兼用カセット押し出し機構部の動作を説明するための側面図、
図２０（ａ）〜（ｃ）は本発明に係るカセット装着装置において、カセットホルダ上昇途中でのカセット位置決め兼用カセット押し出し機構部の動作を説明するための側面図、
図２１（ａ），（ｂ）は本発明に係るカセット装着装置において、カセット挿脱位置でのカセット位置決め兼用カセット押し出し機構部の動作を説明するための側面図である。
【０１３６】
まず、図１９（ａ），（ｂ）は、カセットホルダ７１内に載置したカセット１がカセット装着位置に至っている状態を示している。このカセット装着位置では先に図１１（ｂ）を用いて説明したように、カセット位置決め兼用カセット押し出し機構部８０によりカセットホルダ７１内でカセット１が所定の位置に位置決めされている。
【０１３７】
即ち、カセット位置決め兼用カセット押し出し板８１がバネ８２の付勢力に抗してカセットホルダ７１の後方（矢印Ｙ２方向）側に移動し、且つ、カセット位置決め兼用カセット押し出し板８１上のロックレバー８４も一体に矢印Ｙ２方向に移動してロックレバー８４のロック用切り欠き部８４ａがバネ８５の付勢力によりロック用ピン８８に係合してカセット位置決め兼用カセット押し出し板８１が所定の位置にロックされ、且つ、カセット位置決め兼用カセット押し出し板８１のカセット位置決め兼用カセット押し出し爪部８１ａにカセット筺体２の前方部位が当接しているので、カセットホルダ７１内でカセット１が所定の位置に位置決めされている。
【０１３８】
このカセット装着位置では、先に図１３及び図１４を用いて説明したように、アッパーフレーム１１１にシャフト１１５を介して連結した扇形アーム１１６が段付シャフト１２０を中心にして図示時計方向に回動し、これに伴って蓋カバー１１３を取り付けたアッパーフレーム１１１が矢印Ｙ１方向に移動しているので、セット位置決め兼用カセット押し出し機構部８０中でロックレバー８４の後方下方部位に固着されたシャフト８６に嵌入しているロック解除用のネジリバネ８７の上端部はシャフト１１５から離れて、このシャフト１１５の後方にいる。
【０１３９】
次に、図２０（ａ），（ｂ）は、カセット１を位置決めして載置したセットホルダ７１がカセット装着位置から矢印Ｚ１方向に上昇中の状態を示している。
【０１４０】
即ち、前述したようにカセット装着位置でカセット位置決め兼用カセット押し出し機構部８０によりカセットホルダ７１内でカセット１が所定の位置に位置決めされている状態からカセットホルダ７１を上昇させると、先に図１５及び図１６を用いて説明したように、アッパーフレーム１１１にシャフト１１５を介して連結した扇形アーム１１６が段付シャフト１２０を中心にして図示反時計方向に回動し、これに伴って蓋カバー１１３を取り付けたアッパーフレーム１１１が矢印Ｙ２方向に移動する。
【０１４１】
ここで、カセット位置決め兼用カセット押し出し機構部８０中でロックレバー８４の後方下方部位に固着されたシャフト８６に嵌入しているロック解除用のネジリバネ８７の上端部が、アッパーフレーム１１１と一体に矢印Ｙ２方向に移動中のシャフト１１５に当接し、この後、図２０（ｃ）に示したように、カセットホルダ７１が更に上昇する途中で、シャフト１１５の矢印Ｙ２方向への移動に伴ってネジリバネ８７の上端部がシャフト１１５により蹴られるので、ロックレバー８４がバネ８５の付勢力に抗して軸８３を中心に図示反時計方向に回動し、これによりロックレバー８４のロック用切り欠き部８４ａがロック用ピン８８から離れるために、ロックレバー８４によるカセット位置決め兼用カセット押し出し板８１へのロックが解除され、この後、ネジリバネ８７の上端部はシャフト１１５から離れてカセットホルダ７１が後述するカセット挿脱位置に向かう。
【０１４２】
そして、アッパーフレーム１１１の矢印Ｙ２方向への後退に伴って、ネジリバネ８７の上端部はシャフト１１５から離れるために、ロックレバー８４がバネ８５の付勢力により軸８３を中心に図示時計方向に回動して初期状態に戻ると共に、カセット位置決め兼用カセット押し出し板８１もがバネ８２の付勢力によりカセットホルダ７１の前方（矢印Ｙ１方向）に移動して、図２１（ａ），（ｂ）に示した状態に移行する。
【０１４３】
ここで、図２１（ａ），（ｂ）は、カセットホルダ７１内に載置したカセット１がカセット挿脱位置に至っている状態を示している。このカセット挿脱位置では、上記したように、カセットホルダ７１の上昇途中でカセット位置決め兼用カセット押し出し機構部８０中のロックレバー８４によるカセット位置決め兼用カセット押し出し板８１へのロックが解除されるので、カセット位置決め兼用カセット押し出し板８１がバネ８２の付勢力によりカセットホルダ７１の前方（矢印Ｙ１方向）に移動し、これによりカセット位置決め兼用カセット押し出し板８１のカセット位置決め兼用カセット押し出し爪部８１ａがバネ８２の付勢力でカセット筺体２をカセットホルダ７１の前方側に押し出している。
【０１４４】
従って、カセット挿脱位置で使用者はカセットホルダ７１内に載置したカセット１を容易に取り出すことができる。
【０１４５】
上記したように、カセットホルダ７１の左側板７１ｂの外側に取り付けたカセット位置決め兼用カセット押し出し機構部８０は、カセット位置決め兼用カセット押し出し板８１のカセット位置決め兼用カセット押し出し爪部８１ａがカセット１をカセットホルダ７１内の所定の位置に位置決めする機能と、所定の位置に位置決めされたカセット１をカセットホルダ７１内から押し出す機能とを兼務しているので、それぞれの機能を備えた部品を用意しなくて良いので、部品点数の削減に寄与できる。
【図面の簡単な説明】
【０１４６】
【図１】図１は本発明に係るカセット装着装置を適用したビデオテープレコーダの全体構成を説明するための上面図である。
【図２】本発明に係るカセット装着装置に用いられるカセットを示した斜視図である。
【図３】本発明に係るカセット装着装置の各状態を示した斜視図であり、（ａ）はカセット挿脱位置での状態を示し、（ｂ）は中間ロック位置での状態を示し、（ｃ）はカセット装着位置での状態を示した図である。
【図４】本発明に係るカセット装着装置を分解して示した分解斜視図である。
【図５】本発明に係るカセット装着装置において、ベース台組立体を示した斜視図である。
【図６】本発明に係るカセット装着装置において、メカシャーシ組立体を前面側から見た斜視図である。
【図７】本発明に係るカセット装着装置において、メカシャーシ組立体を後面側から見た斜視図である。
【図８】本発明に係るカセット装着装置において、カセットホルダ組立体を示した斜視図である。
【図９】カセットホルダ組立体中のカセットホルダを説明するための図であり、（ａ）は後面図、（ｂ）は左側面図、（ｃ）は上面図、（ｄ）は後方側から見た斜視図である。
【図１０】（ａ），（ｂ）はカセットホルダ組立体において、カセットホルダの左側板の外側に設けたカセット位置決め兼用カセット押し出し機構部と、カセットホルダの右側板の外側に設けたカセット蓋ロック解除兼用カセット位置決め機構部とを説明するために、カセットホルダの前面側，後方側からそれぞれ見た斜視図である。
【図１１】カセットホルダ組立体において、カセットホルダの左側板の外側に設けたカセット位置決め兼用カセット押し出し機構部の状態を説明するための側面図であり、（ａ）は初期状態を示し、（ｂ）はカセットホルダ内にカセットが位置決めされた状態を示し、（ｃ）はカセットホルダ内からカセットが押し出される状態を示した図である。
【図１２】本発明に係るカセット装着装置において、アッパーフレーム組立体を示した斜視図である。
【図１３】（ａ），（ｂ）は本発明に係るカセット装着装置において、アッパーフレーム内に支持されたカセットホルダがカセット装着位置に至った状態を示した外観斜視図，側面図である。
【図１４】（ａ），（ｂ）は本発明に係るカセット装着装置において、カセット装着位置に至ったアッパーフレーム及びアッパーフレーム内に支持されたカセットホルダを示した斜視図，側面図である。
【図１５】（ａ），（ｂ）は本発明に係るカセット装着装置において、アッパーフレーム内に支持されたカセットホルダがカセット挿脱位置に至った状態を示した外観斜視図，側面図である。
【図１６】（ａ），（ｂ）は本発明に係るカセット装着装置において、カセット挿脱位置に至ったアッパーフレーム及びアッパーフレーム内に支持されたカセットホルダを示した斜視図，側面図である。
【図１７】（ａ），（ｂ）は本発明に係るカセット装着装置において、アッパーフレーム内に支持されたカセットホルダが中間ロック位置に至った状態を示した外観斜視図，側面図である。
【図１８】（ａ），（ｂ）は本発明に係るカセット装着装置において、中間ロック位置に至ったアッパーフレーム及びアッパーフレーム内に支持されたカセットホルダを示した斜視図，側面図である。
【図１９】（ａ），（ｂ）は本発明に係るカセット装着装置において、カセット装着位置でのカセット位置決め兼用カセット押し出し機構部の動作を説明するための側面図、
【図２０】（ａ）〜（ｃ）は本発明に係るカセット装着装置において、カセットホルダ上昇途中でのカセット位置決め兼用カセット押し出し機構部の動作を説明するための側面図である。
【図２１】（ａ），（ｂ）は本発明に係るカセット装着装置において、カセット挿脱位置でのカセット位置決め兼用カセット押し出し機構部の動作を説明するための側面図である。
【図２２】従来例のカセット装着装置を示した構成図である。
【符号の説明】
【０１４７】
１…カセット、２…カセット筺体、３…磁気テープ、４，４…一対のリール、
５…カセット蓋、６…カセット蓋ロックレバー、
１０…ビデオテープレコーダ、
１１…ベース台（第１固定部）、１２…メカシャーシ（第２固定部）、
１３，１３…一対のリール台、１４…回転ドラム、１５…キャプスタン、
１６，１７…磁気テープローディング部材、
２０…カセット装着装置、
３１，３１…左右一対のブラケット、３２，３２…一対の軸受け、
４０…メカシャーシ組立体、
５０…第１カセットホルダロック機構部、
５１…ローデイングレバー、５２…軸、５３…ピン、
５４…スライドプレート、５５…フック部材、５５ａ…コ字状爪部、５６…バネ、
６０…第２カセットホルダロック機構部、
６１…扇形レバー、６２…軸、６３…押圧レバー、６４…軸、
６５…ロックレバー、６６…軸、６７…ロック用ピン、６８…バネ、
７０…カセットホルダ組立体、
７１…カセットホルダ、
７１ａ…底板、７１ｂ…左側板、７１ｃ…右側板、７１ｃ…右側板、７１ｄ…天板、
７１ｄ１，７１ｄ２…切り欠き部、７１ｄ３…突出片、
７１ｄ８，７１ｄ９…カセット押圧用板バネ、
７２…化粧カバー、７３…ロック用ピン、７４…シャフト、
８０…カセット位置決め兼用カセット押し出し機構部、
８１…カセット位置決め兼用カセット押し出し板、
８１ａ…カセット位置決め兼用カセット押し出し爪部、
８２…バネ、８３…軸、８４…ロックレバー、８４ａ…ロック用切り欠き部、
８５…バネ、８６…シャフト、８７…ネジリバネ、８８…ロック用ピン、
９０…カセット蓋ロック解除兼用カセット位置決め機構部、
９１…カセット蓋ロック解除兼用カセット位置決めレバー、
９１ａ…カセット蓋ロック解除兼用カセット位置決め爪部、９２…軸、
１００，１００…左右一対のポップアップ機構部、
１０１，１０１…左右一対の第１リンクアーム、
１０２，１０２…左右一対の第２リンクアーム、
１０３，１０３…ピン、１０４，（１０４）…ピン、１０５，（１０５）…ピン、
１０６，１０６…バネ、
１１０…アッパーフレーム組立、
１１１…アッパーフレーム、１１１ａ…天板、１１１ｂ…左側板、１１１ｃ…右側板、  １１２，１１２…左右一対の板バネ、１１３…蓋カバー、１１４…ネジ、
１１５…シャフト、１１６，１１６…左右一対の扇形アーム、１１６ａ…爪部シャフト、
１１７…連結部材、１１８，（１１８）…左右一対のリンクアーム、１１９…ピン、
１２０…段付シャフト、１２１…バネ、
Ｊ１〜Ｊ３…軸部。
【図１】
2007018630.tif 000003
【図２】
2007018630.tif 000004
【図３】
2007018630.tif 000005
【図４】
2007018630.tif 000006
【図５】
2007018630.tif 000007
【図６】
2007018630.tif 000008
【図７】
2007018630.tif 000009
【図８】
2007018630.tif 000010
【図９】
2007018630.tif 000011
【図１０】
2007018630.tif 000012
【図１１】
2007018630.tif 000013
【図１２】
2007018630.tif 000014
【図１３】
2007018630.tif 000015
【図１４】
2007018630.tif 000016
【図１５】
2007018630.tif 000017
【図１６】
2007018630.tif 000018
【図１７】
2007018630.tif 000019
【図１８】
2007018630.tif 000020
【図１９】
2007018630.tif 000021
【図２０】
2007018630.tif 000022
【図２１】
2007018630.tif 000023
【図２２】
2007018630.tif 000024